(57)【要約】【課題】より小型であるにもかかわらず取り付け作業や交換作業等を行う際の作業性をより向上させることができる照明装置を備えた乗物用シートを提供する。【解決手段】照明装置３０は略筒状の形状を有しており、シートバック２に取り付けられたブラケット４０に設けられた筒状接続部４０Ｂに接続され、先端部に照明手段が設けられ、照明手段に電源を供給する照明装置ケーブル３７が照明装置の内部に挿通されており、照明装置ケーブルの一方端は照明手段に接続され、照明装置ケーブルの他方端には照明装置コネクタ３７Ａが接続されている。照明装置コネクタは、電源に接続されて筒状接続部から引き出された中継ケーブル４１の先端に設けられた中継コネクタ４１Ａに接続され、接続された照明装置コネクタと中継コネクタは、伸縮可能な弾性部材４３が巻回されて筒状接続部４０Ｂ内に押し込まれて保持されている。【選択図】図１０
2015020536.tif 000002
【特許請求の範囲】
【請求項１】
着座した乗員が手にした書籍に照明を当てることが可能な照明装置を備えた乗物用シートにおいて、
前記乗物用シートは、着座した乗員が腰を下ろすシートクッションと、着座した乗員が背中を凭せ掛けるシートバックと、を有しており、
前記照明装置は、略筒状の形状を有して、前記シートバックに取り付けられたブラケットに設けられた筒状接続部に接続され、
前記照明装置は、先端部に照明手段が設けられ、当該照明手段に電源を供給する照明装置ケーブルが前記照明装置の内部に挿通されており、
前記照明装置ケーブルの一方端は前記照明手段に接続され、前記照明装置ケーブルの他方端には照明装置コネクタが接続されており、
前記照明装置コネクタは、電源に接続されて前記筒状接続部から引き出された中継ケーブルの先端に設けられた中継コネクタに接続され、
接続された前記照明装置コネクタと前記中継コネクタは、伸縮可能な弾性部材が巻回されて前記筒状接続部内に押し込まれて保持されている、
照明装置を備えた乗物用シート。
【請求項２】
請求項１に記載の照明装置を備えた乗物用シートであって、
前記中継ケーブルは、復元力を有する被覆部材にて被覆されており、前記ブラケットに形成された貫通孔から前記筒状接続部内に至る湾曲した経路であるブラケット内挿通経路に挿通されて、前記復元力にて前記ブラケットの一部または前記ブラケットが取り付けられている前記シートバックの一部に押し付けられて前記ブラケットから脱落することなく保持されている、
照明装置を備えた乗物用シート。
【請求項３】
請求項１または２に記載の照明装置を備えた乗物用シートであって、
前記照明装置ケーブルの長さは、前記筒状接続部における前記照明装置の側の開口端から挿通された前記照明装置コネクタが前記筒状接続部における前記シートバックの側の開口端まで達しない長さに設定されて、前記照明装置コネクタが前記筒状接続部内に保持されている、
照明装置を備えた乗物用シート。
【発明の詳細な説明】
【技術分野】
【０００１】
本発明は、着座した乗員が手にした書籍に照明を当てることが可能な照明装置を備えた乗物用シートに関する。
【背景技術】
【０００２】
従来より、着座した乗員が手にした書籍に照明を当てることが可能な照明装置を備えた乗物用シートが存在している。
例えば特許文献１には、図１２に示すように、シートクッション１１１と、シートバック１１２と、肘掛１１３と、照明装置１２０と、を備えた乗物用シート１００が開示されている。当該乗物用シート１００では、肘掛１１３にジャバラ状の開閉スライド蓋１３１を備えており、開閉スライド蓋１３１をスライドさせると照明収容空間１３２が開口し、照明装置１２０を照明収容空間１３２に収容可能となるように構成されている。また照明装置１２０は、照明収容空間１３２内に収容可能となるように取り付けられた回動可能なアーム部１２１と、アーム部１２１に対して照明部１２３の角度を変更可能に保持する角度可変連結部１２２と、照明部１２３を有している。
【先行技術文献】
【特許文献】
【０００３】
【特許文献１】特開平１０−２４１４４７号公報
【発明の概要】
【発明が解決しようとする課題】
【０００４】
特許文献１に記載の発明では、照明装置１２０の取り付け作業や交換作業等を行う際、作業性をより向上させるためのケーブルの長さやコネクタの位置等について特に記載がされていない。特許文献１に記載の発明では、サイズが比較的大きな照明装置１２０が肘掛１１３に取り付けられており、照明装置１２０を収容するための照明収容空間１３２を備えた肘掛１１３のサイズも必要以上に大きくなっており、ケーブルの長さやコネクタの位置等を考慮する必要がないくらい、必要以上にスペースがある。しかし、肘掛１１３が必要以上に大きいと、乗物用シート１００の設置面積が限られている場合では、シートクッション１１１の幅を狭くしなければならなくなるので好ましくない。なお特許文献１に記載の発明では、せっかく肘掛１１３があるにもかかわらず、照明装置１２０や開閉スライド蓋１３１が有ることで、乗員は肘掛１１３を肘掛として有効利用することができない。
また照明装置は、よりシンプルな構成で、より小型であることが好ましい。
照明装置をより小型にする場合では、取り付け位置の周囲のスペースが非常に限られるため、照明装置の取り付け作業や交換作業を行う際の作業性をより向上させるためのケーブル長さやコネクタ位置等が非常に重要となる。
本発明は、このような点に鑑みて創案されたものであり、より小型であるにもかかわらず取り付け作業や交換作業等を行う際の作業性をより向上させることができる照明装置を備えた乗物用シートを提供することを課題とする。
【課題を解決するための手段】
【０００５】
上記課題を解決するため、本発明に係る照明装置を備えた乗物用シートは次の手段をとる。
まず、本発明の第１の発明は、着座した乗員が手にした書籍に照明を当てることが可能な照明装置を備えた乗物用シートにおいて、前記乗物用シートは、着座した乗員が腰を下ろすシートクッションと、着座した乗員が背中を凭せ掛けるシートバックと、を有している。
また、前記照明装置は、略筒状の形状を有して、前記シートバックに取り付けられたブラケットに設けられた筒状接続部に接続され、前記照明装置は、先端部に照明手段が設けられ、当該照明手段に電源を供給する照明装置ケーブルが前記照明装置の内部に挿通されており、前記照明装置ケーブルの一方端は前記照明手段に接続され、前記照明装置ケーブルの他方端には照明装置コネクタが接続されている。
そして前記照明装置コネクタは、電源に接続されて前記筒状接続部から引き出された中継ケーブルの先端に設けられた中継コネクタに接続され、接続された前記照明装置コネクタと前記中継コネクタは、伸縮可能な弾性部材が巻回されて前記筒状接続部内に押し込まれて保持されている。
【０００６】
この第１の発明によれば、照明装置を略筒状の形状とすることで、より小型に構成し、照明装置コネクタを中継コネクタに接続して、照明装置を筒状接続部に接続することで、照明装置を容易にシートバックに取り付けることができるので、照明装置の取り付けの際の作業性がよい。
また、照明装置をシートバック（ブラケット）から取り外す際は、照明装置を筒状接続部から取り外して照明装置コネクタと中継コネクタを分離することで取り外すことができるので、照明装置の交換の際の作業性がよい。また接続された照明装置コネクタと中継コネクタが筒状接続部の内部に保持されているので、交換の際に照明装置コネクタを筒状接続部から抜き出すことができないようなことが発生しない。
【０００７】
次に、本発明の第２の発明は、上記第１の発明に係る照明装置を備えた乗物用シートであって、前記中継ケーブルは、復元力を有する被覆部材にて被覆されており、前記ブラケットに形成された貫通孔から前記筒状接続部内に至る湾曲した経路であるブラケット内挿通経路に挿通されて、前記復元力にて前記ブラケットの一部または前記ブラケットが取り付けられている前記シートバックの一部に押し付けられて前記ブラケットから脱落することなく保持されている。
【０００８】
この第２の発明によれば、中継ケーブルがブラケットから脱落することなく適切に保持されていることで、中継ケーブルの先端の中継コネクタが、筒状接続部の内部に保持されている照明装置コネクタを、筒状接続部の更に奥まで引っ張るようなことを防止することができる。照明装置コネクタが筒状接続部の奥まで引っ張られて筒状接続部を貫通してしまうと、照明装置を取り外す際に照明装置コネクタを筒状接続部から抜き出すことができなくなる可能性があるが、このような事態を適切に防止することができる。
このため、照明装置の交換の際の作業性がよい。
【０００９】
次に、本発明の第３の発明は、上記第１の発明または第２の発明に係る照明装置を備えた乗物用シートであって、前記照明装置ケーブルの長さは、前記筒状接続部における前記照明装置の側の開口端から挿通された前記照明装置コネクタが前記筒状接続部における前記シートバックの側の開口端まで達しない長さに設定されて、前記照明装置コネクタが前記筒状接続部内に保持されている。
【００１０】
この第３の発明によれば、照明装置コネクタが筒状接続部を貫通するまで奥へと移動することがないので、照明装置を取り外す際に照明装置コネクタを筒状接続部から抜き出すことができなくなるような事態を適切に防止することができる。
このため、照明装置の交換の際の作業性がよい。
【図面の簡単な説明】
【００１１】
【図１】照明装置を備えた乗物用シートの全体構成の例を説明する斜視図である。
【図２】照明装置の外観を説明する図である。
【図３】照明装置の内部を説明する断面図である。
【図４】シートバックのフレームに取り付けられたブラケットと、当該ブラケットに取り付けられる照明装置と、の接続個所の周囲の構造を説明する斜視図である。
【図５】ブラケットの筒状接続部から引き出された中継照明コネクタに、照明装置コネクタを接続する様子を説明する図である。
【図６】接続した照明装置コネクタと中継照明コネクタに、ウレタン部材を巻回した様子を説明する図である。
【図７】ウレタン部材を巻回した照明装置コネクタ及び中継照明コネクタを、筒状接続部の内部に押し込んだ様子を説明する図である。
【図８】照明装置のブラケット嵌合開口部に筒状接続部を嵌め込む様子を説明する図である。
【図９】照明装置のブラケット嵌合開口部に筒状接続部を嵌め込んでシートバックに照明装置を取り付けた状態を説明する図である。
【図１０】図９におけるＢ−Ｂ断面図である。
【図１１】図４においてブラケットをＣＣ方向から見た図である。
【図１２】照明装置を備えた乗物用シートの従来の例を説明する斜視図である。
【発明を実施するための形態】
【００１２】
以下に本発明を実施するための形態を図面を用いて説明する。
●［照明装置を備えた乗物用シートの構造（図１）］
図１に示すように、乗物用シート１は、乗員が腰を下ろすシートクッション３、乗員が背中を凭せ掛けるシートバック２、乗員が肘を掛ける肘掛４Ａ等を有している。なお乗物用シート１は、少なくともシートクッション３とシートバック２を有していればよく、肘掛４Ａ等は省略されていてもよい。
そしてシートバック２の側面には、着座した乗員が手にした書籍に照明を当てることが可能な照明装置３０が取り付けられている。
照明装置３０は、シートバック２の側面に取り付けられる略筒状のベース部３１と、ベース部３１に接続されてベース部３１に対する角度が可変となるように構成された略筒状の可動部３２と、にて構成されている。
また可動部３２の先端部には、照明手段３５が設けられている。
照明装置３０は、先端部に照明手段３５を備えた略筒状であるので非常に小型であり、またシートバック２の側面に設けられているので、乗員の邪魔にならない。
【００１３】
●［照明装置３０の外観と構成（図２、図３）］
次に図２、図３を用いて、照明装置３０の外観と構成について説明する。
ベース部３１と可動部３２は、ジョイント部３３にて接続されており、ジョイント部３３における可動部３２と接触する外周面は略球形である。可動部３２は、ジョイント部３３の略球形の外周面によって、ベース部３１に対する角度が可変となっている。
またジョイント部３３内にはフレキシブルチューブ３４が挿通されており、フレキシブルチューブ３４は、自由な角度に湾曲させることが可能であるとともに、湾曲させた状態を維持することが可能である。
可動部３２の先端には、ＬＥＤ等の発光体や照明を拡散または集光するレンズ等を備えた照明手段３５が設けられている。そして照明手段３５は、キャップ３６にて可動部３２の先端に保持されている。
また照明装置３０の内部には、照明手段３５に電源を供給するための照明装置ケーブル３７が挿通されている。
そして照明装置ケーブル３７の一方端は照明手段３５に接続され、照明装置ケーブル３７の他方端には照明装置コネクタ３７Ａが接続されている。
【００１４】
●［照明装置とシートバックとの接続個所の周囲の構造（図４、図１１）］
次に図４、図１１を用いて、シートバックのフレーム２Ｆに取り付けられたブラケット４０と、当該ブラケット４０に取り付けられる照明装置３０と、の接続個所の周囲の構造について説明する。
図４に示すように、シートバックのフレーム２Ｆにおける上端部には、ブラケット４０が固定されている。シートバックにおける図４に示すブラケット４０の位置に照明装置３０を固定することで、乗物用シートに着座した乗員の肩の上方に照明装置３０を配置させることができる。
ブラケット４０は、フレーム２Ｆに固定される支持部４０Ａと、照明装置３０のブラケット嵌合開口部３１Ａに嵌め込まれる筒状接続部４０Ｂと、を有している。また筒状接続部４０Ｂは、嵌合された照明装置３０が回転しないように多角形の柱状であり、内部が空洞となるように形成されている。
【００１５】
また図１１は、図４におけるＣＣ方向からブラケット４０を見た図である。
ブラケット４０の支持部４０Ａには貫通孔４０Ｃが形成されており、この貫通孔４０Ｃから筒状接続部４０Ｂの内部に至る湾曲した経路であるブラケット内挿通経路４１Ｋに、中継ケーブル４１が挿通されている。
中継ケーブル４１の一方端には中継照明コネクタ４１Ａ（中継コネクタに相当）が接続され、中継ケーブル４１の他方端には中継電源コネクタ４１Ｂが接続されている。そして中継照明コネクタ４１Ａは、筒状接続部４０Ｂ内から引き出されている。
中継ケーブル４１は、復元力を有する被覆部材にて被覆されており、湾曲したブラケット内挿通経路４１Ｋに挿通されて、その復元力にてブラケット４０の一部またはシートバックのフレーム２Ｆの一部に押し付けられてブラケット４０から脱落することなくブラケット４０に保持されている。
なお中継電源コネクタ４１Ｂは、電源に接続されている電源ケーブル４２の一方端に接続された電源コネクタ４２Ｂに接続されている。
【００１６】
また図４に示すように照明装置３０には、筒状接続部４０Ｂが嵌め込まれるブラケット嵌合開口部３１Ａと、補助開口部３１Ｂが形成されており、ブラケット嵌合開口部３１Ａと補助開口部３１Ｂは、開口連通部３１Ｃにて連通されている。これらの開口部を有することで、一方端が照明手段３５に接続された照明装置ケーブル３７は、ブラケット嵌合開口部３１Ａと補助開口部３１Ｂとの間で移動することが可能であり、照明装置ケーブル３７が補助開口部３１Ｂ内にある場合では、照明装置３０からの照明装置コネクタ３７Ａの引き出し長さを、照明装置ケーブル３７がブラケット嵌合開口部３１Ａ内にある場合よりも、より長くすることが可能である。
【００１７】
●［照明装置３０を筒状接続部４０Ｂに取り付ける手順（図５〜図１０）］
次に図５〜図１０を用いて、ブラケットの筒状接続部４０Ｂに照明装置３０を取り付ける作業手順の例について説明する。
まず図５に示すように、照明装置３０の補助開口部３１Ｂから引き出した照明装置コネクタ３７Ａを、筒状接続部４０Ｂから引き出した中継照明コネクタ４１Ａに接続する。
作業者は、照明装置コネクタ３７Ａを、ブラケット嵌合開口部３１Ａから引き出すのではなく補助開口部３１Ｂから引き出すことで、照明装置コネクタ３７Ａの引き出し長さをより長くすることができるので、中継照明コネクタ４１Ａとの接続作業を、より容易に行うことができる。
【００１８】
次に図６に示すように、接続した照明装置コネクタ３７Ａと中継照明コネクタ４１Ａに、伸縮可能な弾性部材４３を巻回する。弾性部材は、例えばスポンジ状のウレタン部材である。この場合の弾性部材４３は、容易に押しつぶすことができるものが好ましい。
次に図７に示すように、弾性部材４３を巻回した照明装置コネクタ３７Ａ及び中継照明コネクタ４１Ａを、筒状接続部４０Ｂの内部に押し込む。
そして図８に示すように、照明装置ケーブル３７を、補助開口部３１Ｂから開口連通部３１Ｃを経由させてブラケット嵌合開口部３１Ａに移動させ、ブラケット嵌合開口部３１Ａに筒状接続部４０Ｂを嵌め込み、筒状接続部４０Ｂと照明装置３０とを接続する。
なお筒状接続部４０Ｂに接続されている照明装置３０を取り外す際は、上記の逆の順に作業を行えばよい。
【００１９】
●［照明装置３０が、シートバック２に取り付けられたブラケット４０に接続された状態（図９、図１０）］
図９は、シートバック２に取り付けられたブラケット４０の筒状接続部４０Ｂに、照明装置３０が接続された状態の外観図を示しており、図１０は図９におけるＢ−Ｂ断面図を示している。
図１０に示すように、照明装置ケーブル３７の長さは、筒状接続部４０Ｂにおける照明装置３０の側の開口端から挿通された（押し込まれた）照明装置コネクタ３７Ａが筒状接続部４０Ｂにおけるシートバックの側（フレーム２Ｆの側）の開口端まで達しない長さに設定されている。これにより、照明装置コネクタ３７Ａは、筒状接続部４０Ｂ内に保持されている。
【００２０】
仮に照明装置ケーブル３７の長さが長過ぎると、筒状接続部４０Ｂの照明装置の側から挿通された照明装置コネクタ３７Ａが、筒状接続部４０Ｂのフレーム２Ｆの側の開口端から飛び出す可能性がある。この場合、照明装置３０の交換等にて照明装置３０を取り外す際、照明装置コネクタ３７Ａが、筒状接続部４０Ｂのフレーム２Ｆの側の開口端の角部に引っかかって抜き出すことができなくなる可能性がある。
しかし、本実施の形態にて説明したように、照明装置ケーブル３７の長さを、照明装置コネクタ３７Ａが筒状接続部４０Ｂにおけるシートバックの側（フレーム２Ｆの側）の開口端まで達しない長さに設定することで、照明装置コネクタ３７Ａが筒状接続部４０Ｂのフレーム２Ｆの側の開口端から飛び出すことを確実に回避している。
また、接続した照明装置コネクタ３７Ａと中継照明コネクタ４１Ａに弾性部材４３を巻回して筒状接続部４０Ｂ内に押し込むことで、照明装置コネクタ３７Ａと中継照明コネクタ４１Ａを筒状接続部４０Ｂ内に、適切に保持させておくことができる。
また復元力を有する被覆部材で被覆された中継ケーブル４１を用いて中継ケーブル４１をブラケット４０に保持させることで、中継照明コネクタ４１Ａが、筒状接続部４０Ｂの内部に保持されている照明装置コネクタ３７Ａを、筒状接続部４０Ｂの更に奥まで引っ張るようなことを防止することができる。
以上より、本実施の形態にて説明した照明装置を備えた乗物用シートでは、筒状接続部４０Ｂに接続されている照明装置３０を取り外す作業の作業性を、より向上させることが実現されている。
【００２１】
本発明の照明装置を備えた乗物用シート１は、本実施の形態で説明した構造、形状、外観等に限定されず、本発明の要旨を変更しない範囲で種々の変更、追加、削除が可能である。
本発明の照明装置を備えた乗物用シート１は、列車、船舶、航空機等、種々の乗物のシートに適用することが可能である。
【符号の説明】
【００２２】
１        乗物用シート
２        シートバック
２Ｆ      フレーム
３        シートクッション
４Ａ      肘掛
３０      照明装置
３１      ベース部
３１Ａ    ブラケット嵌合開口部
３１Ｂ    補助開口部
３１Ｃ    開口連通部
３２      可動部
３３      ジョイント部
３５      照明手段
３７      照明装置ケーブル
３７Ａ    照明装置コネクタ
４０      ブラケット
４０Ａ    支持部
４０Ｂ    筒状接続部
４０Ｃ    貫通孔
４１      中継ケーブル
４１Ａ    中継照明コネクタ（中継コネクタ）
４１Ｋ    ブラケット内挿通経路
４３      弾性部材
【図１】
2015020536.tif 000003
【図２】
2015020536.tif 000004
【図３】
2015020536.tif 000005
【図４】
2015020536.tif 000006
【図５】
2015020536.tif 000007
【図６】
2015020536.tif 000008
【図７】
2015020536.tif 000009
【図８】
2015020536.tif 000010
【図９】
2015020536.tif 000011
【図１０】
2015020536.tif 000012
【図１１】
2015020536.tif 000013
【図１２】
2015020536.tif 000014